(57)【要約】【課題】使い捨てフィルタの交換を手間をかけることなく容易に行うことのできる使い勝手のよい電気掃除機を提供する。【解決手段】掃除機本体１内に、電動送風機８と、この電動送風機８の駆動によって吸引された空気中の塵埃を除去するフィルタ１４を有する集塵室１３とを備えた電気掃除機において、フィルタ１４の上流側に使い捨てフィルタ１７を着脱自在に配設すると共に、掃除機本体１に使い捨てフィルタ１７の交換用使い捨てフィルタ１７ａを収納する収納部２０を設けた。【選択図】図１
2009106427.tif 000002
【特許請求の範囲】
【請求項１】
掃除機本体内に、電動送風機と、この電動送風機の駆動によって吸引された空気中の塵埃を除去するフィルタを有する集塵室とを備えた電気掃除機において、
前記フィルタの上流側に使い捨てフィルタを着脱自在に配設すると共に、前記掃除機本体に前記使い捨てフィルタの交換用使い捨てフィルタを収納する収納部を設けたことを特徴とする電気掃除機。
【請求項２】
前記掃除機本体は前記集塵室を開閉自在に覆う蓋体を有し、この蓋体に前記収納部を設けたことを特徴とする請求項１記載の電気掃除機。
【請求項３】
前記収納部は、側面部に前記交換用使い捨てフィルタを出し入れする開口部を有する箱状に形成され、前記蓋体の下面に取付けたことを特徴とする請求項２記載の電気掃除機。
【請求項４】
前記箱状の収納部の平面部に、交換用使い捨てフィルタの取出し口を設けたことを特徴する請求項３記載の電気掃除機。
【請求項５】
前記収納部は、前記蓋体の上面に設けた凹部と、この凹部を開閉自在に覆う収納蓋とによって構成したことを特徴とする請求項２記載の電気掃除機。
【請求項６】
前記凹部の底部に、前記交換用使い捨てフィルタの取出し口を設けたことを特徴とする請求項５記載の電気掃除機。
【請求項７】
前記収納部は、前記蓋体の上面に設けた凹部と、交換用使い捨てフィルタを出し入れする開口部を有し、前記凹部に着脱可能に嵌合される箱状の収納ケースとによって構成したことを特徴とする請求項２記載の電気掃除機。
【請求項８】
前記箱状の収納部は、前記蓋体に回動かつ着脱自在に装着したことを特徴とする請求項７記載の電気掃除機。
【請求項９】
前記使い捨てフィルタは、ティッシュペーパであることを特徴とする請求項１〜８のいずれかに記載の電気掃除機。
【請求項１０】
前記ティッシュペーパは、ポケットティッシュペーバであることを特徴とする請求項９記載の電気掃除機。
【発明の詳細な説明】
【技術分野】
【０００１】
本発明は、電気掃除機に係り、より詳しくは、集塵部に使い捨てフィルタを備えた電気掃除機に関するものである。
【背景技術】
【０００２】
従来のこの種の電気掃除機に、掃除機本体に、塵埃を除去する集塵部と電動送風機を内蔵し、電動送風機の駆動により集塵部に吸引された空気の塵埃を除去するフィルタを備え、フィルタの目詰りを抑制して掃除の手間を減らすため、フィルタの上流側に使い捨てフィルタを配置したものがある（例えば、特許文献１参照）。
【０００３】
【特許文献１】特開２００５−３１８９１５号公報（第５頁、図１、２）
【発明の開示】
【発明が解決しようとする課題】
【０００４】
特許文献１の電気掃除機においては、使い捨てフィルタとして、一般に市販されているティッシュペーパ等が使用され、例えば、掃除が終了した都度、比較的短かい期間で交換するようにしているが、使い捨てフィルタの交換の際に、ティッシュペーパが身近にないと保管場所まで取りに行かなければならないため、使用者にとって手間がかかり、不便であった。
【０００５】
本発明は、上記の課題を解決するためになされたもので、使い捨てフィルタの交換を手間をかけることなく容易に行うことのできる、使い勝手のよい電気掃除機を提供することを目的としたものである。
【課題を解決するための手段】
【０００６】
本発明は、掃除機本体内に、電動送風機と、この電動送風機の駆動によって吸引された空気中の塵埃を除去するフィルタを有する集塵室とを備えた電気掃除機において、前記フィルタの上流側に使い捨てフィルタを着脱自在に配設すると共に、前記掃除機本体に前記使い捨てフィルタの交換用使い捨てフィルタを収納する収納部を設けたものである。
【発明の効果】
【０００７】
本発明によれば、掃除機本体に設けた収納部に、交換用使い捨てフィルタを収納するようにしたので、使い捨てフィルタの交換時に、交換用使い捨てフィルタを取りに行く手間を省くことができ、使い勝手のよい電気掃除機を得ることができる。
【発明を実施するための最良の形態】
【０００８】
［実施の形態１］
図１は本発明の実施の形態１に係る電気掃除機の説明図、図２は図１の電気掃除機の蓋体を開放した状態を示す説明図である。
電気掃除機の掃除機本体１内の前部（上流側）には集塵部１０が着脱自在に収容される集塵部収容室３が設けられており、後部には多数の通気孔を有する隔壁４を介して電動送風機８が設置された電動送風機室５などが設けられている。そして、集塵部収容室３の上面に設けられて集塵部１０を出し入れする上面開口部には、後端部が掃除機本体１に軸止された蓋体２が、開閉自在に設けられている。
【０００９】
集塵部１０は、ハンドル１２を有し集塵室１３が形成されたケース体１１を有し、その下流側に設けた開口部には回動自在にフィルタ１４が配設されており、その支持体１５は軸１６によりケース体１１に開閉可能に装着されている。１７はフィルタ１４の上流側においてケース体１１とフィルタ１４の支持体１５との間に着脱可能に挟持された使い捨てフィルタである。なお、掃除機本体１の前面側には、ホース７が着脱可能に接続され、集塵室１３に連通する吸気流入口６が設けられている。
【００１０】
２０は蓋体２の下面に設けられて交換用の使い捨てフィルタ１７ａを収納する箱状の収納部で、周壁の前面側（蓋体２を開放したときは、上面側となる）には挿入口２１が設けられており、下面（蓋体２を開放したときは、前面側となる）には取出し口２２が設けられている。そして、交換用の使い捨てフィルタ１７ａは、折り畳んで挿入口２１から収納部２０内に収納され、取出し口２２から取出される。なお、収納部２０は１２０ｍｍ×９０ｍｍ程度の矩形状であることが望ましいが、これに限定するものではない。
【００１１】
上記のような使い捨てフィルタ１７には、一般にティッシュペーパが用いられている。ティッシュペーパは通気性を有するため使い捨てフィルタに適しており、一般家庭で容易に入手できるため使い易い。この場合、市販のティッシュペーパを折り畳んで収納部１６に収納してもよいが、街角などで無償配布されているポケットティッシュペーパは、家庭などで溜っていることが多いので、これを有効利用してもよい。
【００１２】
使い捨てフィルタ１７にポケットティッシュペーパを使用する場合は、折り畳む手間がなく、包装のままで収納部２０に収納し、その包装フィルムのミシン目などで形成された引き出し口を、収納部２０の取出し口２２と対向するように位置させることで、ティッシュペーパを１枚ずつ取出すことができ、きわめて便利である。
【００１３】
上記のように構成した電気掃除機において、電動送風機８を駆動すると、塵埃を含む空気が集塵室１３に吸い込まれ、塵埃が使い捨てフィルタ１７及びフィルタ１４によって除去された清浄な空気は、電動送風機８等を冷却したのち、掃除機本体１の後部に設けた排気口から外部に排出され、塵埃は集塵室１３内に集積される。
【００１４】
使い捨てフィルタ１７を交換する場合は、図２に示すように蓋体２を開放する。ついで、ハンドル１２を持って集塵部１０を上部開口部から引き出し、例えば、フィルタ１４を下にしてゴミ箱等の上に載置する。そして、ケース体１１を軸１６を中心に回動させて開放し、挟持していた使い捨てフィルタ１７を取外す。次に、蓋体２に設けた収納部２０の取出し口２２から交換用の使い捨てフィルタ１７ａを取出し、広げてフィルタ１４の枠体１５上に載置してケース体１１を回動し、新らしい使い捨てフィルタ１７ａをケース体１１とフィルタ１４の枠体１５との間に挟持する。これにより、使い捨てフィルタ１７の交換が終了する。このとき、集塵室１３内に塵埃が溜っている場合は、開口部から廃棄し、また、必要に応じてフィルタ１４を清掃する。
使い捨てフィルタ１７の交換が終ったときは、集塵部１０を集塵部収容室３内に収容し、蓋体２を閉じる。
【００１５】
本実施の形態によれば、集塵部１０に使い捨てフィルタ１７を備えた電気掃除機において、掃除機本体１の蓋体２に設けた収納部２０に、交換用の使い捨てフィルタ１７ａを収納するようにしたので、使い捨てフィルタ１７の交換時に、交換用の使い捨てフィルタ１７ａを取りに行く手間を省くことができ、使い勝手のよい電気掃除機を得ることができる。
【００１６】
［実施の形態２］
図３は本発明の実施の形態２に係る電気掃除機の説明図である。なお、実施の形態１と同じ部分にはこれと同じ符号を付し、説明を省略する。
本実施の形態は、掃除機本体１の蓋体２に上面に開口する凹部２３を設け、その底部に取出し口２２を設けると共に、蓋体２に凹部２３の開口部を開閉する収納蓋２４を設けて、交換用の使い捨てフィルタ１７ａの収納部２０を設けたものである。
【００１７】
本実施の形態においては、凹部２３に例えばポケットティッシュペーパを収納し、その引き出し口を凹部２３の取出し口２２と対向させ、収納蓋２４を閉じる。
本実施の形態における使い捨てフィルタ１７の交換手順は、実施の形態１の場合とほぼ同様であるが、交換用の使い捨てフィルタ１７ａを収納する収納部２０を、蓋体２の上面に開口する凹部２３によって形成したため、交換用の使い捨てフィルタ１７ａを、蓋体２を閉じたままで収納部２０に収納できるので、交換用の使い捨てフィルタ１７ａの補充を効率的に行うことができる。
【００１８】
［実施の形態３］
図４は本発明の実施の形態３に係る電気掃除機の説明図である。なお、実施の形態１，２と同じ部分にはこれと同じ符号を付し、説明を省略する。
本実施の形態は、掃除機本体１の蓋体２に上面に開口する凹部２３を設け、この凹部２３に開閉自在に嵌合する収納ケース２５を設けて、交換用の使い捨てフィルタ１７ａの収納部２０を形成したものである。
【００１９】
この収納ケース２５は、凹部２３に嵌合しうる大きさで箱状に形成されており、上面周壁には挿入口２１が設けられ、下面には取出し口２２が設けられている。そして、ヒンジ２６により、回動自在、かつ着脱自在に蓋体２に取付けられている。
【００２０】
本実施の形態においては、例えば、ポケットティッシュペーパを挿入口２１から収納ケース２５内に収納し、その引出し口を取出し口２２と対向させ、常時は収納ケース２５を回動して凹部２３に嵌合し凹部２３を閉鎖する。この場合、収納ケース２５を蓋体２から取外してポケットティッシュペーパを収納すれば、収納作業が容易である。
【００２１】
本実施の形態において、使い捨てフィルタ１７を交換する場合は、例えば、先ず、収納ケース２５を蓋体２から取外して傍らに置き、ついで蓋体２を開放して前述の要領で集塵部１０を掃除機本体１から取出し、使い捨てフィルタ１７を取外す。そして、傍らにある集塵ケース２５から交換用の使い捨てフィルタ１７ａを取出して集塵部１０に取付ける。ついで、使い捨てフィルタ１７ａが取付けられた収納部１６を集塵部収容室３内に収容して蓋体２を閉じる。最後に収納ケース２５をヒンジ２６を介して蓋体２に取付け、回動して凹部２３に嵌合すれば、使い捨てフィルタ１７の交換作業が終了する。
【００２２】
本実施の形態によれば、交換用の使い捨てフィルタ１７ａの収納ケース２５を、掃除機本体１の蓋体２に回動、着脱自在に設け、さらに、取外したときは持運ぶことができるように形成したので、使い捨てフィルタ１７の補充及び交換が容易で、使い勝手のよい電気掃除機を得ることができる。
【００２３】
上記の各実施の形態においては、交換用の使い捨てフィルタ１７ａを収納する収納部２０を、掃除機本体１の蓋体２に設けた場合を示したが、本発明はこれに限定するものではなく、例えば、掃除機本体１の周壁や後部などの表面に設けてもよい。
【００２４】
また、上記の説明では、図示の電気掃除機に本発明を実施した場合を示したが、これに限定するものではなく、他の構造の電気掃除機にも本発明を実施することができる。
【図面の簡単な説明】
【００２５】
【図１】本発明の実施の形態１に係る電気掃除機の説明図である。
【図２】図１の電気掃除機の蓋体を開放した状態を示す説明図である。
【図３】本発明の実施の形態２に係る電気掃除機の説明図である。
【図４】本発明の実施の形態３に係る電気掃除機の説明図である。
【符号の説明】
【００２６】
１  掃除機本体、２  蓋体、３  集塵部収容室、８  電動送風機、１０  集塵部、１１  ケース体、１３  集塵室、１４  フィルタ、１７  使い捨てフィルタ、１７ａ  交換用の使い捨てフィルタ、２０  収納部、２１  挿入口、２２  取出し口、２３  凹部、２４  収納蓋、２５  収納ケース、２６  ヒンジ。
【図１】
2009106427.tif 000003
【図２】
2009106427.tif 000004
【図３】
2009106427.tif 000005
【図４】
2009106427.tif 000006